(57)【要約】【課題】  従来の微生物利用によるリサイクルトイレ処理では、腐敗を防ぐことはできず、腐敗するまでの期間をいかに延長するかが課題であった。腐敗した後は、腐敗した汚泥の廃棄物としての別途処理が必要という問題と悪臭が問題であった。【解決手段】  上記目的を達成するために、本発明においては、複合発酵法を用いて、付帯装置内で発酵合成を起こさせ、リサイクルトイレ内の屎尿処理槽で発酵、及び嫌気発酵、固形発酵を起こさせ、通常はメタン、アミンの発生を伴う嫌気腐敗を発酵に切り換え、汚泥を分解消失し、悪臭を軽減消失するものである。【特許請求の範囲】
【請求項１】
屎尿を洗い流すための水量が少ない、いわゆる軽水洗トイレから排出される屎尿と水をエアレーションしながら満水状態にした発酵槽に注入し、発酵槽をオーバーフローした水が移流管を通じて、エアレーションされて満水状態の発酵液状化槽に入り、発酵液状化槽をオーバーフローした水が移流管を通じてポンプで移送して、エアレーションされている満水状態の付加装置内の第１発酵合成槽に入り、第１発酵合成槽をオーバフローした水が移流管を通じて底部に入るように設置され、エアレーションされて満水状態の第二発酵合成槽に入り、第二発酵合成槽をオーバーフローした水が移流管を通じて、エアレーションされて満水状態のリサイクルトイレ内の合成槽に入り、合成槽からオーバーフローした水が溜まるように設置され満水にした貯水槽、及びトイレ内の満水にした給水タンクを配置したことを特徴とする微生物を利用したリサイクルトイレ屎尿処理付加装置。
【発明の詳細な説明】
【技術分野】
【０００１】  本発明は、生屎尿を微生物学的に処理する方法に関する。
【背景技術】
【０００２】  従来のリサイクルトイレによる生屎尿の処理方法に大別して二種類ある。加熱乾燥処理と微生物利用処理である。加熱乾燥処理方式では、高額の電気代コストがかかること、乾燥した生屎尿を別途廃棄物として廃棄物処理業者に有料で引き取ってもらう必要がある。さらに悪臭の発生を抑制することは不可能で、プラチナ脱臭装置や活性炭などの物理的処理か化学薬品、芳香剤などで悪臭の抑制を図っているのが現状であるが、多少の抑制はできても、悪臭を根本的に除去することは成功していない。【０００３】  微生物を利用したリサイクルトイレでは、発酵菌、酵母、乳酸菌、耐熱土壌菌等を曝気槽に投入し、発酵させることで生屎尿の減容と悪臭の抑制、及び処理水の循環利用を行なっているが、通常１ヶ月〜３ヶ月、長いものでも６ヶ月を経過すると、空中浮遊菌、落下菌などの自然に存在する微生物との間で拮抗を起こし、投入した菌が死滅してしまい、腐敗に転じてメタンガス等の有毒、引火性ガスが発生し、爆発、火災等の危険が生じると共に、循環している処理水が腐敗し、黒く濁ってしまい、かつ悪臭が発生するため、腐敗した汚泥を取り出して別途廃棄物として廃棄物処理業者に有料で引き取ってもらい、装置全体を洗浄して再度注水してやり直すのが通例である。
【発明の開示】
【発明が解決しようとする課題】
【０００４】  従来の微生物利用によるリサイクルトイレ処理では、腐敗を防ぐことはできず、腐敗するまでの期間をいかに延長するかが課題であった。腐敗した後は、腐敗した汚泥の廃棄物としての別途処理と悪臭がひどく、処理に携わる人間が作業に苦痛を感じるばかりでなく、近隣にまで悪臭が漂い、リサイクルトイレが使用される建築現場や観光地等では、周辺住民や観光客に悪印象を与えてしまい、死活問題になりかねないという重大な問題点があった。さらに腐敗した汚泥には、大腸菌、雑菌、及び病原菌等が発生しており、焼却処理する外なく、二酸化炭素、硫化水素、酸化窒素、メタンガス等が発生し、危険性があると共に、地球温暖化の要因となっているという問題点がある。【０００５】  本発明は、一般的なリサイクルトイレに付帯装置をつけることで、複合発酵法を用いて、リサイクルトイレ処理槽における腐敗を止め、すべての好気性及び嫌気性フザリウム属を不発生にし、好気性微生物群によって発酵を起こさせ、嫌気性微生物群によって合成（嫌気発酵）を起させ、さらに通性嫌気性微生物群によって、発酵と合成を同時に起こさせ、微生物が出す発酵生産物質、及び生理活性物質によって酸化、変敗、腐敗が抑制されることで、抗酸化酵素が発現し、アゾトバクター、アミロバクター、根瘤菌が出て、各微生物群にリレーが起き、連動して活動することによってすべての微生物群が活性化し、腐敗を完全に抑制し、屎尿を水と炭素とガスに分解し、これらの微生物群の働きの中で、好気性乳酸発酵時には、発酵熱が生じ、嫌気性微生物の合成時には、水温が下がり、この往復によってさらにエステルが造られ、抗酸化酵素が高結晶化し、屎尿の分解速度がより速くなる。このようなサイクルを起す微生物を利用したリサイクルトイレ付帯装置を提供することを目的としている。
【課題を解決するための手段】
【０００６】  上記目的を達成するために、本発明においては、複合発酵法を用いて、付帯装置内で発酵合成を起こさせ、リサイクルトイレ内の屎尿処理槽で固形発酵を起こさせ、通常はメタン、アミンの発生を伴う嫌気腐敗を発酵に切り換えるものである。【０００７】  複合発酵法とは、情報微生物工学、情報生命工学、分子生物学より構成された、複合微生物動態系解析における複合発酵という科学技術を言い、微生物の機能性と基質性と情報性による発酵法、増殖法、誘導法を用い、単発酵、復発酵、並行復発酵、平衡復発酵、固体（固形）発酵を同時に行い、好気性菌と嫌気性菌及び通性嫌気性菌類のすべての微生物群の共存、共栄、共生を可能にするものである。【０００８】  そして、共存、共栄、共生が起きることによって、フザリウム属の占有率がゼロになり、酸化、変敗、腐敗を断ち切り、生態系内における微生物群の死滅率がゼロになることによって、すべての微生物群を発酵から合成に導き、生菌数を１ミリリットルあたり１０のｎ乗から無限大とし、同時に生菌数が１種類１ミリリットルあたり１０の９乗を超えると、菌のスケールが１０分の１以下となり、凝集化（固形化）を生じ、数千種、数万種の増殖が可能となる。これにより、微生物の高密度化が起こり、微生物のＤＮＡ核内に一酸化窒素、二酸化窒素及び高分子タンパク結晶による情報接合とエネルギー接合を引き起こし、その結果、微生物間でのＤＮＡ融合が生じ、融合微生物による対抗性菌、耐衡性菌により獲得した酵素及びタンパク質の高分子結合結晶が発生し、情報触媒の作用として情報とエネルギーを現生・発現させ、すべての物質、分子、原子レベルに対する分解菌並びに分解酵素を現生させて、環境汚染物質を分解消失するものである。
【発明の効果】
【０００９】  以上のように、本発明によれば、本発明は、複合発酵法を用いてリサイクルトイレ内の発酵液状化槽、発酵槽、合成槽、貯水槽、及び付帯装置内の第１発酵合成槽、第２発酵合成槽における腐敗を止め、すべての好気性及び嫌気性フザリウム属を不発生にし、合成槽において固形発酵を起こさせることで、腐敗を発酵に切り換えて悪臭をなくし、二酸化炭素、硫化水素、酸化窒素、酸化硫黄の発生を抑制し、酸素とマイナスイオンを発生させ、屎尿を水と炭素とガスに分解し、汚泥を発生させないという効果を生じるものである。
【発明を実施するための最良の形態】
【００１０】  さらに前記目的を達成するために、請求項１に記載した本発明のリサイクルトイレシステムは、屎尿を洗い流すための水量が少ない、いわゆる軽水洗トイレから排出される屎尿と水をエアレーションしながら満水状態にした発酵槽に注入し、発酵槽をオーバーフローした水が移流管を通じて、エアレーションされて満水状態の発酵液状化槽に入り、発酵液状化槽をオーバーフローした水が移流管を通じてポンプで移送して、エアレーションされている満水状態の付加装置内の第１発酵合成槽に入り、第１発酵合成槽をオーバフローした水が移流管を通じて底部に入るように設置され、エアレーションされて満水状態の第二発酵合成槽に入り、第二発酵合成槽をオーバーフローした水が移流管を通じて、エアレーションされて満水状態のリサイクルトイレ内の合成槽に入り、合成槽からオーバーフローした水が溜まるように設置され満水にした貯水槽、及びトイレ内の満水にした給水タンクを配置したことを特徴とする微生物を利用したリサイクルトイレ屎尿処理付加装置。
【実施例】
【００１１】  本発明の実施例について添付図面に基づいて詳細に説明する。図１は本発明である複合発酵リサイクルトイレシステムを説明するための概略横断面図であり、図２は概略平面図である。本実施例は、軽水洗式トイレを１台使用し、１日３０〜５０人の使用を条件とし、トイレ下部及び背後に屎尿を処理して水をリサイクルするリサイクルトイレシステムを配置し、２ｔトラックで移送可能としたものに、リサイクル水を腐敗させずに複合発酵させ、屎尿を分解消失処理するための付加装置を設置したものである。リサイクルトイレ内の曝気槽を３つに分け、それぞれにエアレーションできるようにし、屎尿が最初に流入する槽を発酵槽とし、エアーレーションした状態で水を注入し、満水状態とする。それに糖蜜を発酵槽の容量の０．０５％投入し、１５分間曝気し、ＥＭＢＣ（複合発酵）固型バイオを水の量に対し重量比０．０１％の割合で混合して、１時間曝気し、ＭＬＳＳ菌床を発酵槽内の濃度５００ｐｐｍになるように投入し、３０分曝気する。ＥＭＢＣ培養液を容量の０．１％散布して強曝気とする。発酵槽をオーバーフローした水が移流管を通じて底部に入るように設置した２番目の槽を発酵液状化槽とし、エアーレーションした状態で水を注入し、満水状態とする。それに糖蜜を発酵液状化槽の容量の０．０５％投入し、１５分間曝気し、ＥＭＢＣ（複合発酵）固型バイオを水の量に対し重量比０．０１％の割合で混合して、１時間曝気し、ＭＬＳＳ菌床を発酵液状化槽内の濃度３００ｐｐｍになるように投入し、３０分曝気する。ＥＭＢＣ培養液を容量の０．１％散布して強曝気とする。発酵液状化槽をオーバーフローした水が、リサイクルトイレから流入口１を経て流入ポンプ５によって、付加装置内の流入管７を通じて底部に入るように設置された第１発酵合成槽２にブロワー６とエアー配管１０を通じ、散気管４でエアーレーションした状態で水を注入し、満水状態とする。それに糖蜜を第１発酵合成槽２の容量の０．０５％投入し、１時間曝気し、ＭＬＳＳ菌床を第１発酵合成槽７内の濃度１００ｐｐｍになるように投入し、３０分曝気する。ＥＭＢＣ培養液を容量の０．１％散布して強曝気とする。第１発酵合成槽２をオーバーフローした水が移流管８を経て底部に入るように設置された第２発酵合成槽３にブロワー６とエアー配管１０を通じ、散気管４でエアーレーションした状態で水を注入し、満水状態とする。ＥＭＢＣ培養液を容量の０．１％散布してエアー調整バルブ１１で微弱曝気とする。第２発酵合成槽からオーバーフローした水が流出管１１を通じて付加装置からリサイクルトイレの３番目の槽である合成槽にエアーレーションした状態で水を注入し、満水状態とする。ＭＬＳＳ菌床を合成槽内の濃度１０００ｐｐｍになるように投入し、３０分曝気する。ＥＭＢＣ培養液を容量の０．１％散布して曝気し、ＤＯが８．０〜８．５となるようにエアー量を調整する。合成槽からオーバーフローした水が溜まるように設置された貯水槽、及びトイレ内の給水タンクに合成槽と同様に満水にしてＥＭＢＣ培養液を散布して準備する。このすべての準備が終了した後、エアーレーションを維持し、７２時間放置した後、通常のトイレとして使用する。使用開始後のエアーレーション���発酵槽中、発酵液状化強、第１発酵合成槽２中、第２発酵合成槽３微弱、合成槽中とし、使用開始後一週間は、朝と晩にＥＭＢＣ培養液を発酵槽の容量の０．０２％をトイレの排水口から投入する。各槽の状態を見ながら、合成を強くしたい場合は、ＥＭＢＣ培養液を投入し、発酵を強くする場合は、ＥＭＢＣ（複合発酵）固型バイオを投入する。この状態でトイレを使用することによって、発酵槽で発酵が始まり、乳酸発酵によって、有機物を分子結合レベルでばらばらになり、発酵液状化槽で液状化が起こり、第一発酵合成槽２で完全発酵が起き、第２発酵合成槽３で発酵合成を起こさせ、分解菌並びに分解酵素を現生させ、合成槽で嫌気発酵、固型発酵を起こさせ、さらに分解菌、分解酵素を原生させて、屎尿を水と炭素とガスに分解消失させ、水の減少を補給するのみで、処理水をリサイクルし、汚泥を発生させないことを特徴とするものである。【００１２】  前記ＥＭＢＣ固型バイオは、米糠９０重量％、水５重量％、籾殻２．５重量％、藁２．５重量％からなる材料に、複合発酵状態にある微生物が出す酵素を材料の全体量の３重量％を添加混合し、加湿し、材料の上下切り返しを数回繰り返し、空気中から微生物を混入させて、１ｃｃあたりの微生物数（生菌数）が、１０７〜１０８から１０９に増加させ、菌の死滅を無くし、それによって、１０２０〜１０３０へと生菌数が飛躍的に増大し、微生物の高密度化がおき、この状態でしばらく寝かせた後、乾燥させて粉砕したものである。【００１３】  前記ＥＭＢＣ酵素液は、水９０重量％、松・笹・梅・無花果・栗・桃・柿の葉から抽出した抽出液６重量％、オカラ３重量％、糖蜜１重量％からなる原液に、空気中から微生物を混入させて、１ｃｃあたりの微生物数（生菌数）が、１０７〜１０８から１０９に増加すると菌の死滅がなくなり、それによって、１０２０〜１０３０へと飛躍的に増大し、微生物の高密度化がおき、さらにこの水溶液内で微生物酵素の高濃度化が起き、前記松、笹、無花果、栗、桃、柿の葉に含まれる植物酵素とともに結合結晶化（合成融合）し、誘導体たる抗酸化物質が生成される。この抗酸化物質を含む溶液を濾過して前記酵素液を得るのである。【００１４】  前記ＭＬＳＳ菌床は、屎尿あるいは生活排水を複合発酵技術で処理し、沈澱槽等で嫌気発酵、固型発酵を起こし、ＭＬＳＳに複合発酵状態にある微生物が付着（着子）し、嫌気性菌類が根付く（着床）ようにし、さらに嫌気性菌類がコロニー化（菌床）したものである。
【産業上の利用可能性】
【００１３】  屎尿・汚泥引抜が不要で、悪臭がなく、従来のリサイクルトイレに付加して設置することが容易であるので、従来の簡易トイレの主たる用途であった建設現場、イベント会場、山小屋等の用途の他に、体育館等、観光地用、公園等、人が集まる場所のすべてに利用可能である。
【図面の簡単な説明】
【図１】  複合発酵リサイクルトイレシステムを説明するための概略横断面図
【図２】  複合発酵生ゴミ処理システムを説明するための概略の概略平面図
【符号の説明】
１  流入口
２  第１発酵合成槽
３  第２発酵合成槽
４  散気管
５  流入ポンプ
６  ブロワー
７  流入管
８  移流管
９  流出管
１０  エアー配管
１１  エアー調整バルブ
【図１】
2006043673.tif 000002
【図２】
2006043673.tif 000003